(57)【要約】【課題】外出時にセキュリティシステムの入れ忘れを防止する。【解決手段】家屋は、操作スイッチ３３がオン状態で監視モードになりオフ状態で監視解除モードになるセキュリティシステム２０と、玄関扉４０の開閉を解錠状態で許容し施錠状態で閉止状態に維持するドアロック装置４５とを備える。ドアロック装置はセキュリティシステムが監視モードで施錠可能に監視解除モードで施錠不能に構成される。セキュリティシステムは監視モードのときに施錠された窓用建具が解錠又は開放されると警報を発するか又は所定の回線を用いて通報を行うように構成される。錠杆の突出を禁止する第１位置とその突出を許容する第２位置とを移動可能な係止部材と、操作スイッチがオン状態で係止部材を第２位置に移動させ操作スイッチがオフ状態で第１位置に移動させるアクチュエータ５７とが扉錠４６又は扉本体４２に設けられる。【選択図】  図１
2005023659.tif 000002
【特許請求の範囲】
【請求項１】
操作スイッチ（３３）がオン状態で監視モードになり前記操作スイッチ（３３）がオフ状態で監視解除モードになるセキュリティシステム（２０）と、玄関扉（４０）の開閉を解錠状態で許容し施錠状態で前記玄関扉（４０）を閉止状態に維持するドアロック装置（４５，７１）とを備えた家屋において、
前記ドアロック装置（４５，７１）は前記セキュリティシステム（２０）が監視モードで施錠可能に監視解除モードで施錠不能に構成された
ことを特徴とする家屋のシステム管理構造。
【請求項２】
セキュリティシステム（２０）は監視モードのときに施錠された窓用建具（１０）が解錠又は開放されると警報を発するか又は所定の回線を用いて通報を行うかいずれか一方又は双方を行うように構成された請求項１記載の家屋のシステム管理構造。
【請求項３】
玄関扉（４０）が扉枠（４１）と前記扉枠（４１）に設けられた扉本体（４２）とを有し、
ドアロック装置（４５）が前記扉本体（４２）に取付けられ前記扉本体（４２）の縁から出没自在な錠杆（４６ｂ）を有する扉錠（４６）と前記扉錠（４６）に対向する扉枠（４１）に固定され突出した前記錠杆（４６ｂ）が係合可能な錠受け金具（５１）とを備え、
没入した前記錠杆（４６ｂ）又は前記錠杆（４６ｂ）を駆動する錠杆駆動機構（４７）に係合して前記錠杆（４６ｂ）の突出を禁止する第１位置と前記錠杆（３５ｂ）又は前記錠杆駆動機構（４７）との係合が解除され前記錠杆（４６ｂ）の突出を許容する第２位置とを移動可能な係止部材（５６）と、操作スイッチ（３３）がオン状態で前記係止部材（５６）を第２位置に移動させ前記操作スイッチ（３３）がオフ状態で前記係止部材（５６）を第１位置に移動させるアクチュエータ（５７）とが前記扉錠（４６）又は扉本体（４２）に設けられた請求項１又は２記載の家屋のシステム管理構造。
【請求項４】
玄関扉（４０）が扉枠（４１）と前記扉枠（４１）に設けられた扉本体（４２）とを有し、
ドアロック装置（４５）が前記扉本体（４２）に取付けられ前記扉本体（４２）の縁から出没自在な錠杆（４６ｂ）を有する扉錠（４６）と前記扉錠（４６）に対向する扉枠（４１）に固定され突出した前記錠杆（４６ｂ）が進入可能な進入口（５３ａ）を有する錠受け金具（５１）とを備え、
前記進入口（５３ａ）の全部又は一部を塞いで前記錠杆（４６ｂ）の進入を禁止する第１位置と前記進入口（５３ａ）を開放して前記錠杆（４６ｂ）の進入を許容する第２位置とを移動可能なシャッタ部材（６１）と、操作スイッチ（３３）がオン状態で前記シャッタ部材（６１）を第２位置に移動させ前記操作スイッチ（３３）がオフ状態で前記シャッタ部材（６１）を第１位置に移動させるアクチュエータ（６２，６３）とが前記錠受け金具（５１）又は扉枠（４１）に設けられた請求項１又は２記載の家屋のシステム管理構造。
【請求項５】
ドアロック装置（７１）はドアロックコントローラ（７２）が発する施錠信号により玄関扉（４０）を施錠可能に構成された電気錠であり、前記ドアロックコントローラ（７２）が操作スイッチ（３３）と電気的に接続され、前記ドアロックコントローラ（７２）は前記操作スイッチ（３３）がオン状態で施錠信号を発信可能に前記操作スイッチ（３３）がオフ状態で施錠信号を発信不能に構成された請求項１又は２記載の家屋のシステム管理構造。
【請求項６】
扉本体（４２）に取付けられ前記扉本体（４２）の縁から出没自在な錠杆（４６ｂ）を有する扉錠（４６）において、
没入した前記錠杆（４６ｂ）又は前記錠杆（３５ｂ）を駆動する錠杆駆動機構（４７）に係合して前記錠杆（４６ｂ）の突出を禁止する第１位置と前記錠杆（４６ｂ）又は前記錠杆駆動機構（４７）との係合が解除され前記錠杆（４６ｂ）の突出を許容する第２位置とを移動可能な係止部材（５６）と、
前記係止部材（５６）を第１位置から第２位置又は第２位置から第１位置に移動可能なアクチュエータ（５７）と
を備えたことを特徴とする扉錠。
【請求項７】
扉本体（４２）に取付けられた扉錠（４６）に対向するように扉枠（４１）に固定され前記扉錠（４６）から突出した錠杆（４６ｂ）が進入可能な進入口（５３ａ）を有する錠受け金具（５１）において、
前記進入口（５３ａ）の全部又は一部を塞いで前記錠杆（５６ｂ）の進入を禁止する第１位置と前記進入口（５３ａ）を開放して前記錠杆（５６ｂ）の進入を許容する第２位置とを移動可能なシャッタ部材（６１）と、
前記シャッタ部材（６１）を第１位置から第２位置又は第２位置から第１位置に移動可能なアクチュエータ（６２）と
を備えたことを特徴とする錠受け金具。
【発明の詳細な説明】
【０００１】
【発明の属する技術分野】
本発明は、何らかの異常が検出されたときに警報等を発して周囲又は特定第三者にその事実を報知するセキュリティシステムを備えた家屋のそのシステムを管理する構造及びそれに適した扉錠並びに錠受け金具に関するものである。
【０００２】
【従来の技術】
従来、家屋には採光又は換気等のために複数の窓用開口部と、出入りのための玄関用開口部が形成され、玄関用開口部にはドアロック装置が設けられた玄関扉が設けられる。ドアロック装置は解錠状態で玄関扉の開閉を許容し施錠状態で玄関扉を閉止状態に維持するように構成され、施錠状態で玄関扉の開放を禁止することにより不在時に不審者が玄関扉を開放すること、及びその解放された玄関用開口部から家屋の内部に不審者が侵入することを防止するようになっている。
また、玄関用開口部とは別に形成された複数の窓用開口部には必要時以外はその開口部を閉じておくための窓用建具が設けられる。一般的な窓用建具は、その開口部に設けられた固定枠と、この固定枠に移動可能に設けられた可動体とを有し、可動体としては採光のためにガラス板に枠部材が嵌着されたいわゆるガラス窓が広く知られている。このような窓用建具では、防犯的な観点から、可動体が窓用開口部を閉止した状態でその可動体の移動を禁止する窓ロック装置が設けられる。
【０００３】
しかし、窓ロック装置が設けられていても、窓用建具における可動体がガラス窓である場合、ガラス板に小孔が開けられてしまうと、その小孔から手を侵入させて施錠されている窓ロック装置を操作すれば容易にそのロック装置を解錠することができ、その後ガラス窓を移動して窓用開口部を開放し、その解放された開口部から不審者に侵入される不具合がある。
この点を解消するために、窓用開口部に設けられた窓用建具の開放を開放検出手段で検出し、その検出手段の検出出力に基づいて警報を発してその異常事態を報知するセキュリティシステムを家屋に設けることが提案されている（例えば、特許文献１参照。）。このセキュリティシステムには、在宅時に警報が発せられることのないように操作スイッチが設けられ、この操作スイッチがオン状態で監視モードになり、逆にその操作スイッチがオフ状態で監視解除モードになるように構成される。そしてセキュリティシステムは監視モードのときに施錠された窓用建具が開放等されると警報等を発し、開放された窓用開口部からの侵入を不審者に断念させるようになっている。
【０００４】
【特許文献１】
特開２００２−１７５５７０号
【０００５】
【発明が解決しようとする課題】
しかし、いかに優れたセキュリティシステムを導入しても、操作スイッチをオン状態にして実際に監視モードにしなければ不審者が窓用建具等を開放しても警報等がなされることはない。即ち、このようなセキュリティシステムは、操作スイッチのオン操作又はオフ操作により監視モード又は監視解除モードが切り換えられるため、操作スイッチを操作し忘れた場合には作動することが無く、せっかく備えた設備を十分に活用できない不具合がある。特に近年では財産管理等のために、留守中に不審者の侵入を監視する警備サービスも発達しつつあり、異常発生時にその警備会社に通報するようなセキュリティシステムを導入したとしても、外出時に操作スイッチを入れ忘れた場合には、留守中に家屋への侵入を監視するようなサービスを受けることができずに十分な財産管理が困難になる問題点もある。
本発明の目的は、外出時にセキュリティシステムの入れ忘れを防止し得る家屋のシステム管理構造及びそれに適した扉錠並びに錠受け金具を提供することにある。
【０００６】
【課題を解決するための手段】
請求項１に係る発明は、図１に示すように、操作スイッチ３３がオン状態で監視モードになり操作スイッチ３３がオフ状態で監視解除モードになるセキュリティシステム２０と、玄関扉４０の開閉を解錠状態で許容し施錠状態で玄関扉４０を閉止状態に維持するドアロック装置４５とを備えた家屋の改良である。
その特徴ある構成は、ドアロック装置４５はセキュリティシステム２０が監視モードで施錠可能に監視解除モードで施錠不能に構成されたところにある。
請求項２に係る発明は、請求項１に係る発明であって、セキュリティシステム２０は監視モードのときに施錠された窓用建具１０が解錠又は開放されると警報を発するか又は所定の回線を用いて通報を行うかいずれか一方又は双方を行うように構成された請求項１記載の家屋のシステム管理構造である。
【０００７】
この請求項１及び請求項２に記載された家屋のシステム管理構造では、セキュリティシステム２０が監視解除モードである場合には、ドアロック装置４５は施錠されない。ここで、セキュリティシステム２０を入れ忘れることに比較して、玄関扉４０に設けられたドアロック装置４５を施錠することは、家屋を留守にしようとするものは必ずと言っていいほど行うものであり、ドアロック装置４５を施錠することなく外出することは一般的に考えられない。このことから、ドアロック装置４５が施錠できないという事態から、その施錠を試みているものはその原因を考え、操作スイッチ３３を入れ忘れていることに気付く。即ち、請求項１の家屋のシステム管理構造では、セキュリティシステム２０を駆動することを忘れていることを高い確率で思い出させることができる。
【０００８】
請求項３に係る発明は、請求項１又は２に係る発明であって、図２及び図３に示すように、玄関扉４０が扉枠４１と扉枠４１に設けられた扉本体４２とを有し、ドアロック装置４５が扉本体４２に取付けられ扉本体４２の縁から出没自在な錠杆４６ｂを有する扉錠４６と扉錠４６に対向する扉枠４１に固定され突出した錠杆４６ｂが係合可能な錠受け金具５１とを備え、没入した錠杆４６ｂ又は錠杆４６ｂを駆動する錠杆駆動機構４７に係合して錠杆４６ｂの突出を禁止する第１位置と錠杆４６ｂ又は錠杆駆動機構４７との係合が解除され錠杆４６ｂの突出を許容する第２位置とを移動可能な係止部材５６と、操作スイッチ３３がオン状態で係止部材５６を第２位置に移動させ操作スイッチ３３がオフ状態で係止部材５６を第１位置に移動させるアクチュエータ５７とが扉錠４６又は扉本体４２に設けられた家屋のシステム管理構造である。
【０００９】
請求項６に係る発明は、扉本体４２に取付けられ扉本体４２の縁から出没自在な錠杆４６ｂを有する扉錠４６の改良である。
その特長ある構成は、没入した錠杆４６ｂ又は錠杆４６ｂを駆動する錠杆駆動機構４７に係合して錠杆４６ｂの突出を禁止する第１位置と錠杆４６ｂ又は錠杆駆動機構４７との係合が解除され錠杆４６ｂの突出を許容する第２位置とを移動可能な係止部材５６と、係止部材５６を第１位置から第２位置又は第２位置から第１位置に移動可能なアクチュエータ５７とを備えた所にある。
【００１０】
この請求項３に記載された家屋のシステム管理構造では、操作スイッチ３３をオン状態にすると、アクチュエータ５７は係止部材５６を第２位置に移動させるため、錠杆４６ｂの錠受け金具５１への係合は許容されてドアロック装置４５が施錠状態となり、玄関扉４０の開閉は禁止される。一方、操作スイッチ３３がオフ状態であると、ドアロック装置４５のアクチュエータ５７は係止部材５６を第２位置に移動せずに第１位置に存在する。従って、その状態でドアロック装置４５を施錠しようとしても、係止部材５６が錠杆４６ｂ又は錠杆駆動機構４７と係合してドアロック装置４５を施錠させない。これにより、セキュリティシステム２０を駆動することを忘れていることを施錠しようとしているものに思い出させる。そして、請求項６に記載された扉錠はこのシステム管理構造に適したものであり、既にセキュリティシステム２０が導入されている家屋にあっては、この扉錠を用いることにより本発明のシステム管理構造を比較的容易に得ることができる。
【００１１】
請求項４に係る発明は、請求項１又は２に係る発明であって、図６に示すように、玄関扉４０が扉枠４１と扉枠４１に設けられた扉本体４２とを有し、ドアロック装置４５が扉本体４２に取付けられ扉本体４２の縁から出没自在な錠杆４６ｂを有する扉錠４６と扉錠４６に対向する扉枠４１に固定され突出した錠杆４６ｂが進入可能な進入口５３ａを有する錠受け金具５１とを備え、進入口５３ａの全部又は一部を塞いで錠杆４６ｂの進入を禁止する第１位置と進入口５３ａを開放して錠杆４６ｂの進入を許容する第２位置とを移動可能なシャッタ部材６１と、操作スイッチ３３がオン状態でシャッタ部材６１を第２位置に移動させ操作スイッチ３３がオフ状態でシャッタ部材６１を第１位置に移動させるアクチュエータ６２とが錠受け金具５１又は扉枠４１に設けられた家屋のシステム管理構造である。
【００１２】
請求項７に係る発明は、扉本体４２に取付けられた扉錠４６に対向するように扉枠４１に固定され扉錠４６から突出した錠杆４６ｂが進入可能な進入口５３ａを有する錠受け金具の改良である。
その特長ある構成は、進入口５３ａの全部又は一部を塞いで錠杆５６ｂの進入を禁止する第１位置と進入口５３ａを開放して錠杆５６ｂの進入を許容する第２位置とを移動可能なシャッタ部材６１と、シャッタ部材６１を第１位置から第２位置又は第２位置から第１位置に移動可能なアクチュエータ６２とを備えたところにある。
【００１３】
この請求項４に記載された家屋のシステム管理構造では、操作スイッチ３３をオン状態にすると、アクチュエータ６２はシャッタ部材６１を第２位置に移動させて進入口５３ａを開放させ、突出する錠杆４６ｂが進入口５３ａに進入することによりドアロック装置４５は施錠状態となり、玄関扉４０の開閉は禁止される。一方、操作スイッチ３３がオフ状態であると、アクチュエータ６２はシャッタ部材６１を移動させることはなく、シャッタ部材６１は第１位置に維持され、突出する錠杆４６ｂが進入口５３ａに進入することは禁止される。従ってドアロック装置４５は施錠されることはなく、施錠不能であることから施錠しようとしているものに対してセキュリティシステム２０が駆動されていないこと思い出させる。そして、請求項７に記載された錠受け金具は、このシステム管理構造に適したものであり、既にセキュリティシステム２０が導入されている家屋にあっては、この錠受け金具を用いることにより本発明のシステム管理構造を比較的容易に得ることが可能になる。
【００１４】
請求項５に係る発明は、請求項１又は２に係る発明であって、図１０に示すように、ドアロック装置７１はドアロックコントローラ７２が発する施錠信号により玄関扉４０を施錠可能に構成された電気錠であり、ドアロックコントローラ７２が操作スイッチ３３と電気的に接続され、ドアロックコントローラ７２は操作スイッチ３３がオン状態で施錠信号を発信可能に操作スイッチ３３がオフ状態で施錠信号を発信不能に構成された請求項１又は２記載の家屋のシステム管理構造である。
この請求項５に記載された家屋のシステム管理構造では、スイッチ３３をオン状態にしてドアロック装置７１を操作すると、施錠信号を発して玄関扉４０を施錠する。一方、操作スイッチ３３がオフ状態であるにもかかわらずドアロック装置７１を操作しても、ドアロックコントローラ７２は施錠信号を発することをしないのでドアロック装置７１は施錠されない。このドアロック装置７１が施錠できないという事態から、その施錠を試みているものはその原因を考え、セキュリティシステム２０を駆動し忘れていることに気付く。
【００１５】
【発明の実施の形態】
次に本発明の第１の実施の形態を図面に基づいて説明する。
図１に示すように、家屋には複数の窓用開口部１１が形成され、それらの窓用開口部１１にはそれぞれ窓用建具１０が設けられる。図１にはその内の１つの窓用建具１０を代表して示す。この窓用建具１０は、家屋に形成された複数の窓用開口部１１に採光又は換気等のために設けられ、その開口部１１に固定された固定枠１２とその固定枠１２に囲まれる空間を塞ぐように設けられた可動体１３，１４を有する。図１における可動体１３，１４はそれぞれガラス板１３ａ，１４ａの周囲に枠部材１３ｂ，１４ｂを嵌着することにより作られたいわゆるガラス窓であって、可動体１３，１４は固定枠１２にはめ込まれて左右に移動可能に構成される。そして、一方の可動体１３を移動させて他方の可動体１４に重ね合わせることにより窓用開口部１１を開放させ、他方の可動体１４と並べることによりその窓用開口部１１を閉止するように構成される。この窓用建具１０には窓ロック装置１６が設けられ、施錠状態で窓用開口部１１を閉止した可動体１３，１４の移動を禁止するように構成される。
【００１６】
図５に示すように、この窓ロック装置１６は操作盤１７ｃとフック１８ｃを有し、操作盤１７ｃは一方の可動体１３における枠部材１３ｂの室内側に上下に移動可能に設けられる。その枠部材１３ｂの内部には操作盤１７ｃに連結部材１７ｅを介して連結され、その操作盤１７ｃとともに上下動するカム部材１８ｂが設けられる。このカム部材１８ｂはハウジング１８ａの内部で上下に移動し、ハウジング１８ａにはカム部材１８ｂの上下動に連動して回転するようにフック１８ｃが枢支される。そして、フック１８ｃに対向するように他方の可動体１４における枠部材１４ｂには被係止板１９が取付けられる。この窓ロック装置１６では、その操作盤１７ｃが下方に移動するとフック１８ｃが破線矢印で示すように回転してその先端が被係止板１９に係止し、操作盤１７ｃが上方に移動するとフックｓ１８ｃが一点鎖線矢印で示すように回転して被係止板１９への係止が解除されるように構成される。そして、フック１８ｃが被係止板１９に係止した状態で窓ロック装置１６が施錠状態となり、窓用開口部１１を塞ぐように並んだ一対の可動体１３，１４の移動が禁止され、フック１８ｃによる被係止板１９への係止が解除された状態で窓ロック装置１６が解錠状態となり、一対の可動体１３，１４の移動が許容されるように構成される。
【００１７】
図１に戻って、この家屋にはセキュリティシステム２０が設けられる。この実施の形態におけるセキュリティシステム２０は、窓ロック装置１６により施錠された窓用建具１０が解錠又は開放されることを異常事態とし、その異常事態が発生するか否かを監視するものである。そして、これらのいずれかの異常事態が発生した時点で警報を発してその事実を報知するように構成され、そのために窓用建具１０には電流通路が形成される。この電流通路は一方の可動体１３の固定枠１２に臨む端部に設けられた第１及び第２接触端子２２，２３と、固定枠１２に取付けられ窓用開口部１１を閉止したときに第１及び第２接触端子２２，２３と接触して電気的に導通する第１及び第２被接触端子２８，２９とを通路の一部とする。
【００１８】
図５に示すように、窓ロック装置１６近傍の可動体１３には接触子２６が固定され、窓ロック装置１６には導電部材２１が設けられる。導電部材２１は窓ロック装置１６のカム部材１８ｂに設けられ、窓ロック装置１６が解錠状態で導電部材２１がカム部材１８ｂとともに一点鎖線矢印で示すように上方に移動して接触子２６と離間し、窓ロック装置１６が施錠状態で導電部材２１はカム部材１８ｂとともに破線矢印で示すように下方に移動して接触子２６と接触して導通するように構成される。この導電部材２１には第１接触端子２２（図１）がリード線２４を介して電気的に常時接続され、接触子２６には第２リード線２７を介して第２接触端子２３（図１）に電気的に常時接続される。
【００１９】
図１に戻って、窓用開口部１１を開放するために一方の可動体１３を他方の可動体１４と重なるように図の右方向に移動させると、第１及び第２接触端子２２，２３が第１及び第２被接触端子２８，２９と離間する。一方、可動体１３，１４が図に示すように窓用開口部１１を閉止すると、第１及び第２接触端子２２，２３は第１及び第２被接触端子２８，２９と接触して導通する。そして、窓用開口部１１を閉止した可動体１３，１４の移動を禁止すべく、窓ロック装置１６を施錠すると、図５の一点鎖線で示すように導電部材２１が接触子２６と接触して導通する。従って、窓ロック装置１６を施錠して窓用開口部１１を閉止した可動体１３，１４の移動を禁止すると、第１被接触端子２８と第１接触端子２２と導電部材２１と接触子２６と第２接触端子２３と第２被接触端子２９とが電気的に導通され、これらにより電流通路が形成される。
【００２０】
逆に、この電流通路は、窓ロック装置１６における操作盤１７ｃを上方に移動させて解錠すると、窓ロック装置１６のカム部材１８ｂとともに導電部材２１が上側に移動して導電部材２１が接触子２６から離間し、電流通路は遮断される。また、ロック装置１６を解錠することなく、そのロック装置１６を破壊等して可動体１３，１４を無理矢理に移動させると、第１及び第２接触端子２２，２３は第１及び第２被接触端子２８，２９から離間し電流通路は遮断される。セキュリティシステム２０は、この電流通路に電流を流しておいて、その電流通路が遮断されたときに警報を発するように構成されたものであり、窓用建具１０に設けられた電流通路以外の主要な回路は屋内に設けられた操作箱３１の内部に収容される。
【００２１】
図４に示すように、この操作箱３１の表面には、家屋に設けられた複数の窓用建具１０の数に相当する数の表示欄３２が形成され、その表示欄３２にはその窓用建具１０が設けられた場所が記載された表示部３２ａと、青色ランプ３２ｂと赤色ランプ３２ｃ、及び対応する窓用建具１０の監視を部分的に停止する部分停止スイッチ３２ｄが横方向に並んで設けられる。ここで、青色ランプ３２ｂは窓用建具１０に設けられた電流通路が導通状態であるときに点灯するランプである。即ち、青色ランプ３２ｂは、点灯することにより対応する窓用建具１０が閉止された状態で窓ロック装置１６により施錠されていることを表示するように構成される。一方、赤色ランプ３２ｃは窓用建具１０に設けられた電流通路が遮断されているときに点灯するランプである。即ち、赤ランプは点灯することにより、対応する窓用建具１０が開放されているか、或いは閉止されていても窓ロック装置１６により施錠されていないことを表示するように構成される。
【００２２】
このセキュリティシステム２０は操作スイッチ３３がオン状態で監視モードになり操作スイッチ３３がオフ状態で監視解除モードになるように構成され、操作スイッチ３３は操作箱３１の上部表面に設けられる。この操作箱３１の操作スイッチ３３の下方には異常事態の発生時に実際に警報を発するブザー３４が設けられ、監視モードで窓用建具１０が解錠又は開放されると、即ちいずれかの赤色ランプ３２ｃが点灯するとそのブザー３４が鳴動して警報を発するように構成される。ただし、部分停止スイッチ３２ｄがオン状態にされているとその部分停止スイッチ３２ｄに対応する窓用建具１０の赤色ランプ３２ｃは無視され、監視モードであってかつその窓用建具１０に対応する赤色ランプ３２ｃが点灯してもブザー３４は鳴動しないように構成される。
【００２３】
図１に戻って、家屋の玄関用開口部３６には玄関扉４０が設けられる。この玄関扉４０は、扉枠４１と、この扉枠４１の一端側に一端側を枢支した扉本体４２とから構成される。扉本体４２の他端側（回動端側）の上下方向における略中央には取っ手４３が設けられ、その取っ手４３の下方にはドアロック装置４５が設けられる。このドアロック装置４５は、扉本体４２の表側に設けられたシリンダ４４と、扉本体４２の室内側に設けられた図示しないサムターンと、シリンダ４４とサムターンで挟まれる扉本体４２の可動端に設けられた扉錠４６とを有する。
【００２４】
図２及び図３に示すように、扉錠４６は扉本体４２の可動端に形成された取付溝４２ａに収容されて固定される。扉錠４６は、取付溝４２ａに固定された錠ケース４６ａと、その錠ケース４６ａの内部に設けられ扉本体４２の開放縁から出没自在な錠杆４６ｂと、室内側に設けられた図示しないサムターンの回動操作を錠杆４６ｂの突出動作または後退動作に変換する錠杆駆動機構４７と、シリンダ４４（図１）に対して一定のあそび回動角を有して連動し、錠杆駆動機構４７を作動させる回動操作部材４８とを備える。ここで、錠杆４６ｂは、ドアロック装置４５が施錠状態のときは図２に示すように扉本体４２の側方へ突出し、ドアロック装置４５が解錠状態のときは図３に示すように扉本体４２の内側へ後退して没入するものである。サムターンは、室内側からドアロック装置４５の施解錠操作を行うためのものであり、シリンダ４４（図１）は、室外側から合鍵（図示せず）を用いて錠杆４６ｂの施解錠操作を行うためのものである。
【００２５】
錠杆駆動機構４７は、サムターンの回動操作に伴って回動し周囲の一部にピニオンが形成された第１ギヤ４７ａと、この第１ギヤ４７ａのピニオンに噛合するラックを有しその第１ギヤ４７ａに連動して錠ケース４６ａ内部で上下に摺動可能に設けられたスライド部材４７ｂとを有する。スライド部材４７ｂは、錠杆４６ｂに設けられたピン４６ｃが係合するガイド溝４６ｄが形成され、スライド部材４７ｂの上下摺動に伴って、錠杆４６ｂが突出および後退する構成となっている。なお、錠杆４６ｂには、その突出動作および後退動作を安定させるためのガイド板４６ｅが取り付けられる。
【００２６】
錠ケース４６ａにはばね受部材４９が第１ギヤ４７ａの近傍に固定され、このばね受部材４９にはクリック用のボール４９ａとこのクリック用のボール４９ａを第１ギヤ４７ａの周囲に当接させるように付勢するばね４９ｂとが設けられる。第１ギヤ４７ａの周囲には錠杆４６ｂが突出状態でボール４９ａが進入する第１凹部４７ｃと錠杆４６ｂが没入状態でボール４９ａが進入する第２凹部４７ｄとが形成される。回動操作部材４８は、スライド部材４７ｂに形成されたラックに係合するピニオンが周囲の一部に形成され、かつ約９０°のあそび回動角を持ってシリンダ４４（図１）に連動して回動するように構成された第２ギヤ４８ａを有する。
【００２７】
この扉錠４６では、室内側からサムターンを回転させると、この回動操作に伴って第１ギヤ４７ａが回動し、この第１ギヤ４７ａのピニオンと係合するラックを有するスライド部材４７ｂが上方又は下方に摺動する。また、室外側からシリンダ４４に図示しない合鍵を挿入して回転させると、この回動操作に伴って第２ギヤ４８ａが回動し、この第２ギヤ４８ａのピニオンと係合してスライド部材４７ｂが上方又は下方に摺動する。そして、このスライド部材４７ｂが上方へ摺動すると、錠杆４６ｂのピン４６ｃが、ガイド溝４６ｄに案内されて錠杆４６ｂは図２に示すように扉本体４２の縁から突出する。一方、このスライド部材４７ｂを下方へ摺動させると、錠杆４６ｂのピン４６ｃが、ガイド溝４６ｄに案内されて錠杆４６ｂは図３に示すように扉本体４２の縁から没入する。ここで、錠杆４６ｂが突出又は没入すると、ばね受部材４９におけるクリック用のボール４９ａがばね４９ｂにより付勢されて第１凹部４７ｃ又は第２凹部４７ｄに進入し、この状態が安定に保持される。
【００２８】
一方、ドアロック装置４５は、この扉錠４６に対向する扉枠４１に固定された錠受け金具５１を備える。錠受け金具５１はボックス本体５２と板状のカバー部材５３とを有し、ボックス本体５２は扉枠４１の扉錠４６に対向する部分に形成された凹溝４１ａに収容されて固定される。ボックス本体５２は鋼板を折り曲げ加工することにより凹溝４１ａに収容される５面からなる縦長の箱形に形成され、上下には上方及び下方に延びて凹溝４１ａの上下における扉枠４１にネジ止めされるフランジ５２ａがそれぞれ形成される。ボックス本体５２には扉錠４６に臨む開口部が形成され、カバー部材５３はボックス本体５２の開口部と上下におけるフランジ５２ａを覆うような上下に長い金属製の板材であって、突出した錠杆４６ｂが進入可能な進入口５３ａが形成される。このボックス本体５２とカバー部材５３からなる錠受け金具５１は、ボックス本体５２を扉枠４１の凹溝４１ａに収容してカバー部材５３を被せ、上下のフランジ５２ａとともにカバー部材５３の上下を扉枠４１にネジ止めすることによりその扉枠４１に固定される。
【００２９】
そして、使用者が扉錠４６の室内側に設けられたサムターン又は室外側に設けられたシリンダ４４に合鍵を挿入して回動操作させて錠杆４６ｂを扉本体４２の側方へ突出させると、その突出した錠杆４６ｂがカバー部材５３の進入口５３ａに進入して錠受け金具５１に係合し、これによりドアロック装置４５は施錠状態となり、扉本体４２の開閉が禁止される。一方、サムターン等を逆方向に回動操作することにより、錠杆４６ｂを没入させると、錠杆４６ｂはカバー部材５３の進入口５３ａから離脱してドアロック装置４５は解錠状態となり、扉本体４２の開閉が許容される。
【００３０】
このドアロック装置４５は前述したセキュリティシステム２０が監視モードで施錠可能にかつ監視解除モードで施錠不能に構成される。この実施の形態における具体的な構成は、扉錠４６に係止部材５６とアクチュエータ５７が設けられたところにある。係止部材５６は、錠杆駆動機構であるスライド部材４７ｂに横方向から係脱可能に構成され、図３の一点鎖線で示すように、そのスライド部材４７ｂの凹部４７ｅに横方向から挿入した第１位置でそのスライド部材４７ｂの上下動を防止して錠杆４６ｂの突出を禁止し、図２及び図３の実線で示すように、スライド部材４７ｂの凹部４７ｅから離脱してその係合が解除された第２位置でスライド部材４７ｂの上方への移動を許容して錠杆４６ｂの突出を許容するように構成される。
【００３１】
また、アクチュエータ５７はその係止部材５６を第１位置から第２位置又は第２位置から第１位置に移動させるものであり、この実施の形態では、電磁式のソレノイド５７が用いられる。そしてソレノイド５７の可動プランジャ５７ａに係止部材５６が取付けられ、ソレノイド５７は操作スイッチ３３がオン状態で可動プランジャ５７ａを没入させて係止部材５６を第２位置に移動させ、操作スイッチ３３がオフ状態で可動プランジャ５７ａを突出させて係止部材５６を第１位置に移動させるように構成される。
【００３２】
次に、このように構成された家屋のシステム管理構造の動作を説明する。
外出して家屋を留守にしようとするものは、留守中における防犯対策のために先ず室内に備えられた操作箱３１の操作スイッチ３３をオン状態にしてセキュリティシステム２０を監視モードにする。すると、それによりドアロック装置４５のソレノイド５７は可動プランジャ５７ａを没入させて係止部材５６を第２位置に移動させる。そして、玄関扉４０から外部に出てドアロック装置４５を施錠すべくシリンダ４４に合鍵を挿入して回転させる。すると第２ギヤ４８ａが回転してスライド部材４７ｂは上方に移動する。このとき係止部材５６は第２位置に移動しているのでスライド部材４７ｂの上方への移動は許容され、それにより錠杆４６ｂは扉本体４２の縁から突出して錠受け金具５１係合する。これにより玄関扉４０の開閉は禁止される。
【００３３】
一方、セキュリティシステム２０を駆動することを忘れて、即ち操作スイッチ３３がオフ状態であるにもかかわらず玄関扉４０から外部に出ると、ドアロック装置４５のソレノイド５７は可動プランジャ５７ａを没入させることはなく、係止部材５６は第２位置に移動せずに第１位置に存在する。従って、その状態でドアロック装置４５を施錠すべくシリンダ４４に合鍵を挿入して回転させようとしても、係止部材５６がスライド部材４７ｂの凹部４７ｅに横方向から挿入しているので、スライド部材４７ｂの上下方向の移動は防止される。従って、シリンダ４４に挿入された合鍵は回転せずドアロック装置４５は施錠されない。
【００３４】
ここで、セキュリティシステム２０を入れ忘れたり、窓用建具１０を施錠し忘れることに比較して、玄関扉４０に設けられたドアロック装置４５を施錠することは、家屋を留守にしようとするものは必ずと言っていいほど行うものであり、ドアロック装置４５を施錠することなく外出することは一般的に考えられない。このことからすると、そのドアロック装置４５が施錠できないという事態から、その施錠を試みているものはその原因を考える。その結果、玄関扉４０を施錠しようとするものに操作スイッチ３３を入れ忘れていること、即ちセキュリティシステム２０を駆動することを忘れていることを高い確率で思い出させることができる。よって、本発明の家屋のシステム管理構造では、家屋を留守にするような場合におけるセキュリティシステム２０の入れ忘れを高い確率で防止することができるものといえる。
【００３５】
なお、上述した実施の形態では、係止部材５６が錠杆駆動機構４７に係合して錠杆４６ｂの突出を禁止するように構成したが、係止部材５６は第１位置で錠杆４６ｂと直接係合してその錠杆４６ｂの突出を直接的に禁止するように構成しても良い。
また、上述した実施の形態では、係止部材５６とアクチュエータ５７とが扉錠４６に設けられる例を示したが、係止部材５６又はアクチュエータ５７のいずれか一方又は双方を扉本体４２に設けるようにしても良い。
更に、上述した実施の形態では、アクチュエータがソレノイド５７である場合を示したが、係止部材５６を移動可能である限りアクチュエータ５７としてモータを用いても良い。
【００３６】
図６〜図８に本発明の第２の実施の形態を示す。図面において、上述した実施の形態と同一符号は同一部品を示し、繰り返しての説明を省略する。
この実施の形態におけるドアロック装置４５は、扉本体４２に取付けられ扉本体４２の縁から出没自在な錠杆４６ｂを有する扉錠４６と、その扉錠４６に対向する扉枠４１に固定され突出した錠杆４６ｂが進入可能な進入口５３ａを有する錠受け金具５１とを備える。この錠受け金具５１はボックス本体５２とカバー部材５３を有し、カバー部材５３に形成された進入口５３ａの全部又は一部を塞ぐことのできるシャッタ部材６１が設けられる。シャッタ部材６１はボックス本体５２に収容可能にかつそのボックス本体５２の内部で上下動可能に構成される。
【００３７】
この実施の形態におけるシャッタ部材６１は鋼板を折り曲げ加工することにより作られ、ボックス本体５２の両側壁５２ｂ，５２ｂに対向して添うように構成された両側壁６１ａ，６１ａを有し、その両側壁６１ａ，６１ａのカバー部材５３側の側縁を連結するようにシャッタ板６１ｂが設けられる。このシャッタ板６１ｂはカバー部材５３に形成された進入口５３ａより大きな面積を有するように形成され、このシャッタ部材６１はボックス本体５２の内部で図７に示す上方の第２位置でシャッタ板６１ｂが進入口５３ａから外れ、ボックス本体５２の内部で図８に示す下方の第１位置でシャッタ板６１ｂが進入口５３ａの全てを塞ぐように構成される。
【００３８】
一方、ボックス本体５２内部のシャッタ部材６１の下方にはアクチュエータであるソレノイド６２が設けられ、ソレノイド６２の可動プランジャ６２ａの先端にはリング状の係合部材６２ｂが取付けられ、プランジャ６２ａの先端にはこの係合部材６２ｂを介してシャッタ部材６１の下端が取付けられる。そしてソレノイド６２は操作スイッチ３３がオン状態でプランジャ６２ａを突出させてシャッタ部材６１を上方の第２位置に移動させ操作スイッチ３３がオフ状態でプランジャ６２ａを没入してシャッタ部材６１を下方の第１位置に移動させるように構成される。
【００３９】
このように構成された家屋のシステム管理構造では、室内に備えられた操作箱３１の操作スイッチ３３をオン状態にしてセキュリティシステム２０を監視モードにする。すると、ドアロック装置４５のソレノイド６２はシャッタ部材６１を第２位置に移動させる。そして、開放された玄関扉４０の外部からシリンダ４４に合鍵を挿入して回転させる。このときシャッタ部材６１は第２位置に移動しているので、それにより扉本体４２の縁から突出する錠杆４６ｂは錠受け金具５１の進入口５３ａに進入してその錠受け金具５１に係合する。これによりドアロック装置４５は施錠状態となり玄関扉４０の開閉は禁止される。
【００４０】
一方、セキュリティシステム２０を駆動することを忘れて、即ち操作スイッチ３３がオフ状態である場合には、ドアロック装置４５のソレノイド６２はシャッタ部材６１を移動させることはなく、シャッタ部材６１は下方の第１位置に維持される。従って、その状態でドアロック装置４５を施錠すべくシリンダ４４に合鍵を挿入して回転させようとしても、その回転とともに突出する錠杆４６ｂが錠受け金具５１の進入口５３ａに進入することはない。従って、シリンダ４４に挿入された合鍵は回転せずドアロック装置４５は施錠されない。このドアロック装置４５が施錠できないという事態から、その施錠を試みているものはその原因を考え、セキュリティシステム２０を駆動することを忘れていることに気付く。よって、家屋を留守にするような場合におけるセキュリティシステム２０の入れ忘れを防止させることができる。
【００４１】
なお、上述した実施の形態では、シャッタ部材６１とアクチュエータ６２とが錠受け金具５１に設けられる例を示したが、シャッタ部材６１又はアクチュエータ６２のいずれか一方又は双方を扉枠４１に設けるようにしても良い。
また、上述した実施の形態では、シャッタ部材６１が第１位置でシャッタ板６１ｂが進入口５３ａの全てを塞ぐように構成されら例を示したが、シャッタ部材６１が第１位置でシャッタ板６１ｂは進入口５３ａの一部を塞いてぐ錠杆４６ｂの進入を禁止するように構成してもよい。
更に、上述した実施の形態では、アクチュエータがソレノイド６２である場合を示したが、シャッタ部材６１を移動可能である限りアクチュエータとしてモータを用いても良い。この場合、図９に示すようにアクチュエータとしてのモータ６３の回転軸に雄ねじ６３ａを設け、その雄ねじ６３ａに螺合する雌ねじ６４をシャッタ部材６１に固定又は形成すれば、モータ６３の回転軸を回転させて雄ねじ６３ａを回転させれば、雌ねじ６４とともにシャッタ部材６１を上下に移動させることが可能になり、その構造を比較的単純化させることができる。
【００４２】
図１０に本発明の第３の実施の形態を示す。図面において、上述した実施の形態と同一符号は同一部品を示し、繰り返しての説明を省略する。
この実施の形態におけるドアロック装置は、ドアロックコントローラ７２が発する施錠信号により玄関扉４０を施錠可能に構成された電気錠７１である。この電気錠７１は、そのコントローラ７２と扉本体４２に設けらたテンキー入力装置７４と扉錠７３を有し、図示しないが扉錠７３には例えばソレノイド等の電磁アクチュエータが設けられる。そしてアクチュエータは扉錠７３内部の図示しない錠杆駆動機構を解錠方向又は施錠方向に駆動可能に構成され、コントローラ７２はテンキー入力装置７４からの入力信号に基づいて施錠信号を発し、図示しないアクチュエータを制御して錠杆７３ａを突出させ、扉本体４２を扉枠４１に固定して施錠するように構成される。
【００４３】
一方、テンキー入力装置７４から解錠に関する情報が入力されるとコントローラ７２は解錠信号を発し、図示しないアクチュエータを制御して錠杆７３ａを扉錠７３の内部に没入させて解錠するように構成される。このドアロックコントローラ７２は操作スイッチ３３と電気的に接続される。そしてドアロックコントローラ７２は操作スイッチ３３がオン状態で施錠信号を発信可能に操作スイッチ３３がオフ状態で施錠信号を発信不能に構成される。
【００４４】
このように構成された家屋のシステム管理構造では、室内に備えられた操作箱３１の操作スイッチ３３をオン状態にしてセキュリティシステム２０を監視モードにする。そして、外部からテンキー入力装置７４を操作してドアロック装置７１を操作する。ここで、ドアロックコントローラ７２は操作スイッチ３３がオン状態であるので、テンキー入力装置７４からの指令に基づいて施錠信号を発して玄関扉４０を施錠する。これにより玄関扉４０の開閉は禁止される。
【００４５】
一方、セキュリティシステム２０を駆動することを忘れて、即ち操作スイッチ３３がオフ状態であるにもかかわらず、外部からテンキー入力装置７４を操作してドアロック装置７１を操作しても、ドアロックコントローラ７２は操作スイッチ３３がオフ状態であるので施錠信号を発することをしない。従って、テンキー入力装置７４から施錠命令を入力してもドアロック装置７１は施錠されない。このドアロック装置７１が施錠できないという事態から、その施錠を試みているものはその原因を考え、セキュリティシステム２０を駆動することを忘れていることに気付く。よって、家屋を留守にするような場合におけるセキュリティシステム２０の入れ忘れを防止させる。
【００４６】
なお、上述した第１〜第３の実施の形態では、監視モードのときに施錠された窓用建具が解錠又は開放されると警報を発するように構成されたセキュリティシステム２０を説明したが、セキュリティシステムはこれに限定されない。例えば、監視モードのときに施錠された窓用建具が解錠又は開放されると所定の回線を用いて警備会社等の特定の第三者に通報を行うようなものであっても良く、警報を発するとともに所定の回線を用いて警備会社等の特定の第三者に通報を行うものであっても良い。
また、上述した実施の形態では、窓用建具として、固定枠１２に２枚の可動体１３，１４を設たいわゆる引き違い窓を用いて説明したが、窓用建具１０はこれに限定されずに、例えば固定枠１２に単一の可動体１３を設たいわゆる片開きタイプ等であっても良い。
【００４７】
【発明の効果】
以上述べたように、本発明によれば、セキュリティシステムが監視モードで施錠可能に監視解除モードで施錠不能にドアロック装置を構成したので、セキュリティシステムが監視解除モードである場合には、ドアロック装置は施錠されない。ここで玄関扉に設けられたドアロック装置を施錠することは、家屋を留守にしようとするものは必ずと言っていいほど行うものである。このことから、ドアロック装置が施錠できないという事態から、その施錠を試みているものはその原因を考えるので、本発明では、セキュリティシステムの入れ忘れを思い出させて、その入れ忘れを有効に防止させることができる。
【図面の簡単な説明】
【図１】本発明の家屋のシステム管理構造を示す概念図。
【図２】施錠状態のドアロック装置を示す縦断面図。
【図３】解錠状態のドアロック装置を示す図２に対応する縦断面図。
【図４】その操作箱の拡大図。
【図５】窓用ロック装置の構造を示す図１のＡ−Ａ線断面図。
【図６】本発明の別のドアロック装置の錠受け金具を示す分解斜視図。
【図７】その錠受け金具により施解錠が許容されたドアロック装置を示す縦断面図。
【図８】その錠受け金具により施錠が禁止されたドアロック装置を示す縦断面図。
【図９】そのアクチュエータとしてモータが用いられた錠受け金具を有するドアロック装置を示す図９に対応する縦断面図。
【図１０】ドアロック装置として電気錠が用いられた家屋のシステム管理構造を示す概念図。
【符号の説明】
１０  窓用建具
２０  セキュリティシステム
３３  操作スイッチ
４０  玄関扉
４１  扉枠
４２  扉本体
４５  ドアロック装置
４６  扉錠
４６ｂ  錠杆
４７  錠杆駆動機構
５１  錠受け金具
５３ａ  進入口
５６  係止部材
５７  ソレノイド（アクチュエータ）
６１  シャッタ部材
６２  ソレノイド（アクチュエータ）
６３  モータ（アクチュエータ）
７１  電気錠（ドアロック装置）
７２  ドアロックコントローラ
【図１】
2005023659.tif 000003
【図２】
2005023659.tif 000004
【図３】
2005023659.tif 000005
【図４】
2005023659.tif 000006
【図５】
2005023659.tif 000007
【図６】
2005023659.tif 000008
【図７】
2005023659.tif 000009
【図８】
2005023659.tif 000010
【図９】
2005023659.tif 000011
【図１０】
2005023659.tif 000012